(57)【特許請求の範囲】
【請求項１】
各々、対応する入力ポートと、２つの対応する双方向性ポート、および対応する出力ポートを有するとともに、各々前記対応する入力ポートの対応する第１の入力信号の所定量を、結合された入力光として、前記対応する２つの双方向性ポートに結合する、複数の光カプラーと、
前記カプラーの各々に対応し、各々前記２つの双方向性ポートの一つから出る光の通路にあり、かつ各々所定の反射プロフィルを有する一対の反射素子と、
を備え、
前記カプラーは順次直列に互に接続され、各カプラーの前記出力ポートは、前記直列における前記カプラーの最後のカプラーを除いて、前記直列における次のカプラーの入力ポートに接続されており、
前記反射素子は各々、前記結合された入力光の所定の波長バンドを反射し、反射入力光として前記２つの双方向性ポートの対応する一つに逆入射させ、
前記２つの双方向性ポートの対応する一つに再入する該反射入射光の各々の所定量を、前記カプラーによって、前記対応する出力ポートおよび前記対応する入力ポートに結合し、
前記対応する入力ポートに結合される光が前記対応する入力ポートで破壊的に干渉するように、かつ前記対応する出力ポートに結合する光が前記対応する出力ポートで建設的に干渉するように、前記反射素子，前記カプラーの各々，および前記結合された光と反射入力光によって移動される光通路長は、累積する位相シフトを有し、これにより前記対応する第１の入力光の本質的に全てを前記対応する出力ポートに供給し、
前記カプラーの各々用の前記対をなす反射素子の一つは、入射される第２の対応する入力信号を有するとともに、前記２つの双方向性ポートの対応する一つに入る前記第２の対応する入力信号の所定の波長バンドを通過し、かつ
前記２つの双方向性ポートの対応する一つに入る前記第２の対応する入力信号の所定量を、前記カプラーによって、各カプラー用の前記対応する出力ポートに結合し、
これによって、前記第１の対応する入力信号の所定の波長バンドと、前記カプラーの各々用の前記第２の対応する入力信号の各々の所定の波長バンドを、前記直列における最後のカプラーの出力ポートに結合する、
ことを特徴とする光波長マルチプレクサ。
【請求項２】
さらに、前記対をなす反射素子の他方は、入射する第３の対応する入力信号を有するとともに、前記２つの双方向性ポートの対応する一つに入る前記第３の対応する入力信号の所定の波長バンドを通し、
前記２つの双方向性ポートの対応する一つに入る前記第３の対応する入力信号の所定量を、前記カプラーによって、前記出力ポートに結合し、
前記第１の対応する入力信号の所定の波長バンド，前記第２の対応する入力信号および前記第３の対応する入力信号を、前記出力ポートに結合することを特徴とする、特許請求の範囲第１項に記載の光波長マルチプレクサ。
【請求項３】
前記対をなす反射素子が適合する反射プロフィルを有することを特徴とする、特許請求の範囲第１項に記載の光波長マルチプレクサ。
【請求項４】
前記対をなす反射素子が適合する反射プロフィルを有することを特徴とする、特許請求の範囲第２項に記載の光波長マルチプレクサ。
【請求項５】
前記反射素子がブラッグ回折格子によって構成されていることを特徴とする、特許請求の範囲第１項に記載の光波長マルチプレクサ。
【請求項６】
各々、対応する入力ポートと、２つの対応する双方向性ポート、および対応する出力ポートを有するとともに、各々前記対応する入力ポートの対応する第１の入力信号の所定量を、結合された入力光として、前記対応する２つの双方向性ポートに結合する、複数の光カプラーと、
前記カプラーの各々に対応し、各々前記２つの双方向性ポートの一つから出る光の通路にあり、かつ各々所定の反射プロフィルを有する一対の反射素子と、
を備え、
前記カプラーは順次直列に互に接続され、各カプラーの前記出力ポートは、前記直列における前記カプラーの最後のカプラーを除いて、前記直列における次のカプラーの入力ポートに接続されており、
前記反射素子は各々、前記結合された入力光の所定の波長バンドを反射し、反射入力光として前記２つの双方向性ポートの対応する一つに逆入射させ、かつ対をなす反射素子の少なくとも一方は、前記結合された入力光の所定の波長バンドを、対応する出力導波器に通し、
前記２つの双方向性ポートの対応する一つに再入する前記反射入射光の各々の所定量を、前記カプラーによって、前記対応する出力ポートおよび前記対応する入力ポートに結合し、
前記対応する入力ポートに結合される光が前記対応する入力ポートで破壊的に干渉するように、かつ前記対応する出力ポートに結合する光が前記対応する出力ポートで建設的に干渉するように、前記反射素子，前記カプラーの各々，および前記結合された光と反射入力光によって移動される光通路長は、累積する位相シフトを有し、これにより前記対応する第１の入力光の本質的に全てを前記対応する出力ポートに供給し、
これによって、前記第１の対応する入力信号の所定の波長バンドを、前記カプラーの各々の前記出力導波器に結合する、
ことを特徴とする光波長デマルチプレクサ。
【請求項７】
前記対をなす反射素子が適合する反射プロフィルを有することを特徴とする、特許請求の範囲第６項に記載の光波長デマルチプレクサ。
【請求項８】
前記対応する入力ポートから光が反射されないことを特徴とする、特許請求の範囲第６項に記載の光波長デマルチプレクサ。
【請求項９】
前記反射素子がブラッグ回折格子によって構成されていることを特徴とする、特許請求の範囲第６項に記載の光波長デマルチプレクサ。
【請求項１０】
前記出力導波器が光ファイバーであることを特徴とする、特許請求の範囲第６項に記載の光波長デマルチプレクサ
【発明の詳細な説明】
関連する出願に対する前後関係
全波長選択光学スイッチと題する米国特許第５，４４６，８０９号と、この特許と同時出願で、低損失低反射波長選択光学スイッチと題し、放棄された米国特許出願第０８，３１１，３２２号は、ここに開示されているものに含まれている。
技術分野
この発明は、反射結合に係り、特に光ファイバーの複数の波長の有効な波長結合に関する。
背景技術
一つ以上の波長が情報を運ぶために使用されることは高速光通信システムの分野で知られている。特に、各光波長はデジタル又はアナログ通信信号用のキャリアである。また、光スイッチは、スイッチの出力を波長が供給する波長基準に関して識別するのに使用される。
複数の波長例えば８つの波長を１つの信号ファイバーに結合する従来技術として、２×２カプラーを第１図に示すように構成したものがある。２つの異なる波長が、入力段における各２×２カプラーに供給される。２×２カプラーの各々からの単一出力は第２段に供給され、第２段では各対のカプラーからの単一出力が、別の２×２カプラーによって結合される。第２段における２×２カプラーの各々からの単一出力は第３段に供給され、第３段では第２段からの一対の出力が、第３段における別の２×２カプラーによって結合される。
第１図に示す従来技術の装置は第１の入力段での８つの別のファイバー上の８つの波長を出力段での単一のファイバーに結合する。しかしながら、発生する結合の３つのステージがあり各ステージは結合された信号において３ｄＢの損失を受けるので、１つのファイバーに対する８つの波長の全損失は８７．５％損失（又は９ｄＢ）である。
従って、単一の光ファイバーの複数の波長の有効な低損失多重化するための装置を得ることが望ましい。
発明の開示
発明の目的は単一光ファイバーの複数の波長を結合するための有効な多重化構造を提供することである。
本発明の第１の様相によれば、光波長マルチプレクサは、入力ポートと２つの双方向性ポートおよび出力ポートを有し入力ポートでの第１の入力信号の所定量を、結合された入力光として、双方向ポートに結合する光カプラーと、各々光の通路において２つの双方向性ポートの一つから出るとともに所定の反射プロフィルを有する一対の反射素子を有し、各々所定の波長バンドの結合された入力光を反射する反射素子は２つの双方向性ポートの対応する一つに反射された入力光として入射し、所定量の反射入力光は、２つの双方向性ポートの対応する一つに再入するとともにカプラーによって出力ポートと入力ポートに結合され、反射素子とカプラーおよび、結合された入力光と反射された入力光によって移動した光通路長さは、入力光と入力ポートに破壊的に入射光に結合された光が出力ポートで結合される光と、出力ポートに建設的に結合された光が出力ポートで干渉するような累積位相シフトを有し、本質的に出力ポートに第２の入力光の全てを供給する。
反射素子の対の一つは、第２の入力信号を入射させるとともに第２の入力信号の所定の波長バンドを通過し、第２の入力信号は２つの双方向性のポートの対応する一つに入り、２つの双方向性のポートの対応する一つに入る所定量の第２の入力信号は、カプラーによって出力ポートに結合されるとともに、第１の入力信号の所定波長バンドの第１の入力信号と所定波長バンドの第２の入力信号を出力ポートで結合する。
本発明の第１の様相によれば、第３の入力信号を有する対の反射素子の他の部分は、そこに入射し、２つの双方向性ポートの対応する一つに入る第３の入力信号の波長バンドを通過し、２つの双方向性ポートの対応する一つに入る第３の入力信号の所定量はカプラーによって出力ポートに結合されかつ第１の入力信号，第２の入力信号および第３の入力信号の所定の波長バンドを出力ポートに結合する。
さらにまた、本発明の第１の様相によれば、対をなす反射素子はマッチングする反射プロフィルを持っている。
本発明の第２の様相によれば、光波長デマルチプレクサは、入力ポートと２つの双方向性ポートおよび出力ポートを有し入力ポートで第１の入力信号を、結合された入力光として、２つの双方向性ポートに結合する光カプラーと、２つの双方向性ポートの一つから出る光の通路における各々に対応するとともに各々所定の反射プロフィルを有する一対の反射素子、およびカプラーによって出力ポートと入力ポートに結合される双方向性ポートの対応する一つに再入する所定量の反射入力光を含み、各々結合された入力光の所定波長バンドを反射する反射素子は２つの双方向性ポートの対応する一つに反射された入力光として入射するとともに、対をなす反射素子の少なくとも一つは関連する出力波長に結合された入力光の所定波長バンドを通過し、反射素子，カプラー，および結合された入力光と反射された入力光は、累積する位相シフトを有し、入力ポートに結合される光は入力光に破壊的に干渉するとともに、出力ポートに接続される光は出力ポートで建設的に干渉し、これにより本質的に第１の入力光の全てを出力ポートに供給するとともに、第１の入力信号の所定の波長バンドを出力波長に結合する。
さらに、本発明の第２の様相によれば、対をなす反射素子はマッチングする反射プロフィルを持っている。
発明は、簡単でしかも安価に、複数の個々の波長を単一の光ファイバーに結合する有効な多重構造を提供するもので、従来技術を非常に改良していることを示す。また、発明は、複数の波長を有する一つの入力からの個々の波長を複数の別々の出力に分離するためのデマルチプレクサとしても、使用できる。
本発明の他の目的，特徴および利点は、添付図面に示されているような模範的な実施例の次の詳細な説明に鑑みて、より明らかになる。
【図面の簡単な説明】
第１図は従来技術の波長マルチプレキシンク装置である。
第２図はマイケルソン干渉計装置を有する従来技術のバンドパスフィルタである。
第３図は、本発明による、単一の光学ファイバー上の複数の波長を結合するための多重化構造の概略ブロック図である。
第４図は、本発明による、一つ又はそれ以上のブラッグ回折格子によって作り出されるバンドパスフィルタ機能用の、波長に対する反射率のグラフである。
第５図は、本発明による、少ないカプラーを使用する単一の光学ファイバー上の複数の波長を結合するための多重化構造用の、他の実施例の概略ブロック図である。
第６図は、本発明によるデマルチプレクサとして本発明の他の適用例を示す概略図ブロック図である。
発明を実施するための最良な形態
第２図を参照すると、従来のマイケルソン干渉計バイパスフィルタは２×２光学カプラー１０例えば３ｄＢ又は５０％又は５０／５０光学カプラーによって構成され、その光学カプラーは、カプラー１０のポート１６に供給される光ファイバー１４に沿う入力信号１２を受ける。入力光１２の例えば５０％は、ライン２０で示されているように、ファイバー２２に沿ってカプラー１０のポート１８に出る。光１２の残りの部分は、ライン２６によって示されているように、ファイバー２８に沿って光学カプラー１０のポート２４に結合される。
光２０は、ファイバー２２に沿って移動し、かつブラッグ回折格子３０に照射される。ブラッグ回折格子３０は、ライン３２で示すように、反射波長λｇで生成された狭い波長バンドの光を反射するとともに、ライン３４で示すように、残りの全ての波長を通過する。
ファイバー２８に沿ってカプラー１０から出る光２６は、回折格子３０と同様に（又はマッチングして）回折格子３８に入射し、波長λｇを中心とする反射波長を有する。回折格子３０，３８の反射プロフィル（又はフィルタ機能）は曲線３９によって示されている。回折格子３８によって波長λｇで反射された光は、ライン４０で示されているとともに、残りの光は、ライン４２によって示されているように回折格子３８によって通過される。光３２はポート１８でカプラー１０に導入するとともに、反射された光４０はポート２４でカプラー１０に再入する。このことは、光学分野で良く知られているマイケルソン干渉計の基本原理と同じである。カプラー１０のポート１６に入る信号１２は、反対の脚に結合するにあたって、π／２の位相シフトを受け、ファイバー２８に沿って出力ポート２４に出る。回折格子３８で反射すると、信号２６は回折格子３８からの反射による別のπ／２に遭遇する。結局、入力信号１２から反射信号４０までの全正味１８０°又はπの全正味の位相シフトがある。同様に、カプラー１６に入る光１２は、もちろん、位相シフトなくして、信号２０としてファイバー２２上の出力ポート１８に結合される。信号２０は信号３２として回折格子３０から反射され、信号３２はπ／２又は９０°位相シフトする。信号３２はポート１８でカプラー１０に再入し、ポート５０へと交叉する部分はこの交叉のためにさらにπ／２の位相シフトを受ける。かくして、カプラー５０を出る信号５４は入力信号の波長λｇによって構成され、信号１２はすでに５０／５０に分離され、それから、カプラー１０の出力ポート５０で建設的に干渉するように完全に位相が再結合され、これにより本質的に出力ファイバー５２で波長λｇの入力信号１２を供給する。
同様にして、ポート１６の破壊的な干渉があり、光５６がファイバー１４に沿ってカプラー１０に出るのを防げられる。特に、ポート２４でカプラー１０に入る回折格子３８からの反射光４０は、ポート１６に結合され、さらにπ／２位相シフトを受け、トータルで３π／２位相シフトを受ける。しかしながら、ポート１８に再入する回折格子３０からの反射光３２は、π／２又は９０°の位相シフトを受けており、さらなる位相シフトを受けることなくポート１６に結合される。従って、戻る信号３２はトータル９０°の位相シフトを受けているとともに、戻る信号４０はポート１６でトータル２７０°位相シフトを受けており、両信号間には１８０°の位相シフトがあり、従って、入力ポート１６での破壊的な干渉がある。それ故に、光５６はファイバー１４に沿って入力ポート１６からは出ない。そのような装置は、サンジーゴ、カルフォニア、技術ダイジェスト、光ファイバー通信会議での“ファイバー回折格子を使用する同調可能な狭いラインバンドパスフィルタ”と題する、Ｗ．Ｗモーレイ出版のものに述べられており、これは本願の参照となる。
各信号の位相シフトは正常な動作のために重要であるので、ポート１８から回折格子３０までの光通路の長さは、ポート２４から回折格子３８までの光通路と同じか又は波長の１／２の整数倍でなければならない。もちろん、これらの光通路長は信号に対するトータルの位相シフトが前に論じた例のものとは異なり得ることは理解できるであろうが、しかしながら、カプラー１０への入力波長の反射を無くすために、入力ポート１６での位相を消去し、かつ出力ポート５０で加えることのみが要求される。位相が完全に消去されなければ、ある量の反射が見られる。許容できる反射の量は用途によって決められる。結局、熱効果は一定に保たれるか、又は、反射された光の量の変化を防ぐために、両方の通路長さに合致されるべきである。もちろん、位相シフトの量は、回折格子から反射された後は、回折格子の反射波長以外で入射光の波長に対して、９０°以外であることは理解されるべきである。
第３図を参照すると、本発明の第１実施例は、光ファイバー１１２に沿ってアイソレータ１１４まで広がる入力信号１１０を受け入れる。アイソレータ１１４の出力は光ファイバー１１８上の光信号１１６を２×２光カプラー１２２例えば３ｄＢ又は５０／５０光カプラーのポート１２０に供給する。光信号１１６の所定部分例えば５０％は、ライン１２６で示されるように、ファイバー１２８に沿ってカプラー１２２の出力ポート１２４に結合される。光１２６はブラッグ回折格子１３０に入射される。回折格子１３０は、曲線１３１で示すように、回折格子１３０の反射波長と同じである波長λ1でバンドパス領域の中央部分を有する狭いバンドパス又はフィルタの反射プロフィルを持っている。かくして、回折格子１３０は、ライン１３２で示すように、光λ1の狭い波長バンドを通すとともに、ライン１３４で示すように、残りの波長を反射する。
対称的に、光１１６の残りの部分は、ライン１４０に示すように、ファイバー１３８上のポート１３６からカプラー１２２を出る。ライン４０は、回折格子１３０の反射プロフィルに同じように適合する回折格子１４２に入射される。回折格子１４２は、ライン１４４で示すように、波長λ1で中心付けられた光の狭いバンドを通るとともに、ライン１４６で示すように残りの波長を通す。適合した回折格子１３０，１４２からの反射光１３２，１４４は、それぞれ、ポート１２４，１３６でカプラー１２２に再入し、第２図に関して前述したように、カプラー１２２内で建設的に干渉し、波長λ0の反射光の全てはカプラー１２２のポート１５０を出る。光はポート１２４，１３６を出るとともに再入するので、”双方向性”ポートと呼ばれる。
さらに、他の入力信号１５４は、ファイバー１３８に沿って移動し、かつ回折格子１４２に入射され、そのような信号１５４は回折格子１４２を介して通る波長λ1を有するとともにポート１３６からカプラー１２２に入る。ライン１５６で示すように、光５６の所定の部分例えば５０％はファイバー１５２に沿って出力ポート１５０に結合される。ファイバー１５２に沿ってポート１５０でカプラー１２２を出る波長λ0とλ1は、まとめてライン１６０によって示されている。光１５８はファイバー１１８に沿って移動するとともにアイソレータ１１４に入り、このアイソレータ１１４は光１５８がライン１１２に沿って入力ポートを出るのを防げる。
それ故に、波長λ1は波長λ0に沿ってファイバー５２はすでに結合されている。また、ファイバー１５２上の波長λ1は３ｄＢ又は５０％減衰する。しかしながら、λ0の入力信号は最小の減衰になる。
ファイバー１５２は、カプラー１２２について前述したように、２×２カプラー１８０および一対の適合した回折格子１８２，１８４を含む同様の構成に入力されている。回折格子１８２，１８４の各々は、曲線１８５に示すように、バンドパス反射プロフィルを有し、波長λ2に通過され、全ての他の波長は反射される。結局、カプラー１８０への入力ライン１６０上の波長λ0，λ1は、ライン１８８で示すように、ファイバー１８６に沿う出力に直接結合される。さらに、波長λ2で構成される入力信号１９０は回折格子１８４に入射され、ライン１９２とライン１８８に示すように、ファイバー１５２に沿ってカプラーを出る。光１９０は、それぞれファイバー１５２，１８６の各々に沿って５０／５０に結合される。従って、波長λ0，λ1，λ2はファイバー１８６に沿って広がる。
ファイバー１８６は、２×２カプラー２００と一対の適合した回折格子２０２，２０４からなる装置に再び戻り、回折格子２０２と２０４の各々は、曲線２０５で示すように、λ3を中心とするバンドパス反射特性を持っている。さらに、入力信号２０６は、波長λ3を通す回折格子２０４に入射されカプラー２００に入り、そして一部、例えば、５０％はライン２０８で示すようにカプラー２００を出るとともに、残りの部分はライン２１２で示すようにファイバー２１０上のカプラー２００を出る。波長λ0，λ1，λ2はその全てがファイバー２１０に結合され、これにより波長λ3はファイバー２１０に沿うλ0，λ1，λ2の前のチェーンに加えられる。
ファイバー２１０は、２×２カプラーと一対の適合した回折格子２２２，２２４からなる前の形状と同じ装置に戻される。これらの回折格子は、双方とも曲線２２５で示すように、波長λ4を中心とするバンドパス反射プロフィルを有するとともに、前述したようにマイケルソン干渉効果を持っている。従って、波長λ0，λ1，λ2，λ3からなる信号２１２はライン２２８によって示すように出力ファイバー２２６に結合される。さらに、波長λ4を有する入力信号２３０は、波長λ4を通す回折格子２２４に入力され、カプラー２２０で一部分、例えば５０％をファイバー２２６に結合する出力信号２２８を供給するために他の波長と結合する。信号２３０の残りは、ライン２３２で示すように、ファイバー２１０に結合される。また、カプラー１２２，１８０，２００，２２０からの反射した信号１５８，１９２，２０８，２３２は、アイソレータ１１４を通るライン２４９，２４２，２４４に示されているように、チェーンに沿って後方に通過させられる。アイソレータ１１４はそのような信号を入力ファイバー１１２を出ることを許さないとともに上流源を妨害し、かつそのような信号をカプラー１２２に反射させない。
この前進は波長の如何なる数に対しても続くとともに、入力信号の如何なるものにも生ずる最大の低下と減衰は、出力ファイバーに結合されるべき波長の数とは独立に、初期の３ｄＢ減衰のみである（カプラーの損失による又は１００％反射の回折格子を持っていないことによる僅かな損失も加わる）ことを理解すべきである。
第４図を参照すると、第３図の曲線１３１，１８５，２０５，２２５によって示されるバンドパス反射プロフィルを狭くするために、回折格子は、所定の波長スペーシングλ3を有する２つの広域反射バンド回折格子１００，１０２によって作られる。波長スペーシングλ3は、第４図に示すようにバンドパスの中心であるその領域λBの中心を有するバンドパス領域である。広域バンド反射プロフィル１００，１０２はファイバーのコアに沿う非振動の反射指数変化配分によって知られているように生成され、この反射指数変化配分は、“非振動の回折格子と光ファイバーを形成するための装置および方法”と題する、特許出願番号０８／１６９，７９６で論じられている。
現在までのところ、広域バンド（例えば、１５ｎｍ）回折格子は高光感知水素負荷ファイバーにおいて製作されている。より広域の回折格子は、適正な曲率径を干渉ビームに配設することによって、製作される。他の技巧としては、回折格子と伝達ノッチプロフィルを備える公知の位相マスクを使用することであり、適正な回折格子プロフィルを、信頼性と繰り返し可能な方法によって、ファイバー中にさらす。
再び第３図を参照すると、カプラー１２２，１８０，２００，２２０は、例えばコーニングＳＭＦ２８のような光感知ファイバーにおいて現在商業的に有用であるテーパー形成されたカプラーである。この技術は良く確立されているので、より高い光感度ファイバーにおいてこれらのテーパーカプラーを生産することは可能である。さらに、ファイバーの光感度を増すために例えば水素負荷のような技巧を使用することも可能である。効率を最高にするために、回折格子は、高反射性でなければならないとともに、波長分割多重化システムにおいて高域バンドが要求されるのをカバーするために充分に広いバンドでなければならない。環境効果による干渉計感度を小さくするために回折格子が配置される。また、回折格子はフューズテーパーカプラーがパッケージされる前に書かれ、これにより回折格子間の非常に短い距離は信号が結合される点に設けられる。また、前に論じかつＯＦＣ実行紙について前述したように、回折格子間の各々の間の光通路長とそのカプラーは、同じでなければならないか又は建設的な干渉用の波長の整数倍だけ異なるものであるべきである。
第５図を参照すると、本発明の他の実施例は、入力信号がカプラーの双方のアームに設けられていることを除いて、第３図における場合と同じ基本的なカプラー／回折格子を使用する。この構造においては、所定のカプラーに関連する回折格子は、曲線３００〜３１４によって示されているように、各々異なるバンドパス波長を持っている。これにより、一つの波長のみを結合する代りに、二つの波長を所定のカプラーの出力ファイバーに結合する。この構造は、同じ波長の数に結合するための半分のカプラーを必要とするので、第３図の実施例よりもより効率的である。位相シフトと反射は、前述したように、マイケルソン干渉計部分に対する正しい位相繰返し（建設的および破壊的な干渉）を確実にするために、カプラーに戻り反射される波長で（すなわち、バンドパス波長よりも異なる波長で）回折格子と同じであるべきことは理解すべきである。
代りに、第５図の実施例の製作を容易にするとともに回折格子のマッチングを最大にするために、所定のカプラーに関連する２つの回折格子が曲線３２０で示すように、両方の波長（例えば、第５図のカプラーに対してλ1とλ2）を通すように、２つの波長バンドパス領域を各回折格子に設置してもよい。その場合に、所定のカプラーに対する回折格子は同一のフィルタ機能を持っており、これにより、回折格子を同時に作ることができるとともに、各回折格子の位相シフトが非バンドパス波長で同じであることを確実にし、前述したように、構成中のマイケルソン干渉計のための正しい位相の繰返（建設的および破壊的な干渉）を確実にする。
第６図を参照すると、代りに、本発明はデマルチプレクサとしても用いられる。その場合に、入力信号１１０は、複数の波長、例えばλ1〜λ8からなる広波長バンド信号である。もし、回折格子が第５図の曲線３００〜３１４で示す反射プロフィルで構成されていれば、関連する回折格子を有するカプラーの各々の脚は、実線４００〜４１４で示されるように、通過バンド波長を出力信号として通過させる。その場合に、各入力波長のいくつかはポート１２０，１５０を出る。代りに、回折格子が第３図の曲線１３１，１８５，２０５，２２５で示す反射プロフィルに適合するように作られていれば、関連する回折格子を有する各カプラーの双方の脚は同じパスバンド波長を通し、ダッシュライン４２０〜４２６で示されているように、入力信号として使用されるに必要なただ一つの脚のみが使用される。もちろん、その場合に、アイソレータ１１４は必要とされない。
従って、この用途で使用される時、本発明は、複数の波長を有する入力信号を取るとともに、波長を複数の個々の出力ライン上にデマルチプレックする。もちろん、前述したマイケルソン干渉計カプラー／回折格子装置が、典型的な場合のように、カプラー１２０の入力ポート１２０からの反射された波長がなければ、装置までの入力でアイソレータ１１４は必要とされない。
【図１】
0003683588.tif 000002
【図２】
0003683588.tif 000003
【図４】
0003683588.tif 000004
【図３】
0003683588.tif 000005
【図５】
0003683588.tif 000006
【図６】
0003683588.tif 000007